(57)【要約】【課題】利便性の向上を図ることが可能な、医療用画像表示装置および制御方法を提供する。【解決手段】第１の表示部と、第１の表示部と表示方向が異なる第２の表示部と、を備え、第２の表示部の表示画面の少なくとも一部には、第１の表示部の表示方向側の空間が撮像された医療用撮像画像が表示される、表示装置が提供される。【選択図】図３
2018143559.tif 000002
【特許請求の範囲】
【請求項１】
第１の表示部と、
前記第１の表示部と表示方向が異なる第２の表示部と、
を備え、
前記第２の表示部の表示画面の少なくとも一部には、前記第１の表示部の表示方向側の空間が撮像された医療用撮像画像が表示される、医療用画像表示装置。
【請求項２】
前記第２の表示部の表示画面には、前記医療用撮像画像に関連する医療用関連画像と、マイクロホンで集音された音声の認識結果を示す文字列を示す医療用画像と、ユーザインタフェース画像とのうちの１または２以上が、前記医療用撮像画像と共に表示される、請求項１に記載の医療用画像表示装置。
【請求項３】
前記医療用撮像画像は、医療行為が行われる場所における前記空間が撮像された画像であり、
前記医療用関連画像は、前記医療行為に関連する画像である、請求項２に記載の医療用画像表示装置。
【請求項４】
前記医療行為に関連する画像には、前記医療行為を受ける患者に関する画像と、前記医療行為の流れを示す画像との一方または双方が含まれる、請求項３に記載の医療用画像表示装置。
【請求項５】
前記ユーザインタフェース画像には、医療行為に対するアノテーション画像が含まれる、請求項２に記載の医療用画像表示装置。
【請求項６】
前記ユーザインタフェース画像に対する操作が行われた場合、前記ユーザインタフェース画像に対する操作に対応して前記第２の表示部の表示が変化する、請求項２に記載の医療用画像表示装置。
【請求項７】
さらに、前記ユーザインタフェース画像に対する操作に対応して、前記第２の表示部の表示内容が、前記第１の表示部の表示画面に反映される、請求項６に記載の医療用画像表示装置。
【請求項８】
前記マイクロホンを備え、
前記文字列は、前記医療用画像表示装置が備える前記マイクロホンにより集音された音声の認識結果を示す文字列である、請求項２に記載の医療用画像表示装置。
【請求項９】
前記第２の表示部の表示画面に表示される画像のレイアウト、前記第２の表示部の表示画面に表示される画像の数、および前記第２の表示部の表示画面に表示される画像の内容それぞれは、ユーザ操作に基づいて変更される、請求項２に記載の医療用画像表示装置。
【請求項１０】
前記第１の表示部の表示方向側の空間を撮像する撮像デバイスを備え、
前記医療用撮像画像は、前記医療用画像表示装置が備える前記撮像デバイスにより撮像された画像である、請求項１に記載の医療用画像表示装置。
【請求項１１】
前記第１の表示部および前記第２の表示部それぞれの表示画面への表示を制御する制御部をさらに備える、請求項１に記載の医療用画像表示装置。
【請求項１２】
前記第２の表示部の表示画面に表示されている表示内容を示す画像を出力する出力端子を備える、請求項１に記載の医療用画像表示装置。
【請求項１３】
第１の表示部の表示画面のサイズと前記第２の表示部の表示画面のサイズとは、同一である、請求項１に記載の医療用画像表示装置。
【請求項１４】
第１の表示部の表示画面のサイズと前記第２の表示部の表示画面のサイズとは、異なる、請求項１に記載の医療用画像表示装置。
【請求項１５】
前記第２の表示部の表示画面のサイズは、第１の表示部の表示画面のサイズよりも小さい、請求項１４に記載の医療用画像表示装置。
【請求項１６】
第１の表示部の表示画面の解像度と前記第２の表示部の表示画面の解像度とは、同一である、請求項１に記載の医療用画像表示装置。
【請求項１７】
第１の表示部の表示画面の解像度と前記第２の表示部の表示画面の解像度とは、異なる、請求項１に記載の医療用画像表示装置。
【請求項１８】
前記第２の表示部の表示画面の解像度は、第１の表示部の表示画面の解像度よりも小さい、請求項１７に記載の医療用画像表示装置。
【請求項１９】
前記第２の表示部は、タッチパネルである、請求項１に記載の医療用画像表示装置。
【請求項２０】
第１の表示部と、前記第１の表示部と表示方向が異なる第２の表示部と、を備える医療用画像表示装置における表示方法であって、
前記第２の表示部の表示画面の少なくとも一部に、前記第１の表示部の表示方向側の空間が撮像された医療用撮像画像が表示されるように、表示を制御する、プロセッサにより実行される表示制御方法。
【発明の詳細な説明】
【技術分野】
【０００１】
本開示は、医療用画像表示装置、および表示制御方法に関する。
【背景技術】
【０００２】
医療機器システムに適用可能な表示装置に関する技術が開発されている。上記技術としては、例えば下記の特許文献１に記載の技術が挙げられる。
【先行技術文献】
【特許文献】
【０００３】
【特許文献１】特開２０１０−１３１１９４号公報
【発明の概要】
【発明が解決しようとする課題】
【０００４】
近年、医療現場においては、例えば内視鏡装置により撮像された医療用撮像画像や電子撮像式の医療用観察装置により撮像された医療用撮像画像などの、医療行為に関連する様々な画像を表示するために、医療用画像表示装置が用いられている。医療現場が手術室である場合を例に挙げると、術者などの手術に関わる医療従事者は、上記表画装置の表示画面に表示される画像を見つつ、医療行為を行う。また、内視鏡装置や電子撮像式の医療用観察装置などの高機能化が進むにつれて、医療用撮像画像の解像度の高解像度化が進んでいる。そのため、医療現場では、医療行為の精緻度の向上を図るために、医療用画像表示装置の大型化（表示画面のサイズの大型化）が進んでいる。
【０００５】
しかしながら、医療用画像表示装置が大型化すると、医療用画像表示装置の背面側（表示画面がある面と反対側の面側）にいる医療従事者が医療用画像表示装置の表示画面側で行われている医療行為を見ることは、より困難となる。そのため、医療現場において用いられる医療用画像表示装置が大型化するにつれて、医療用画像表示装置の背面側にいる医療従事者と医療用画像表示装置の表示画面側にいる医療従事者との間の連携がとり難くなると、考えられる。
【０００６】
ここで、例えば上記特許文献１に記載の技術に係る表示装置は、透過状態または不透過状態への状態切替が可能な第１の表示部と、透過状態または不透過状態への状態切替が可能な第２の表示部とを備える。また、上記特許文献１に記載の技術に係る表示装置では、第１の表示部および第２の表示部それぞれに、体内を撮像する撮像装置が撮像した撮像画像が表示される。よって、例えば上記特許文献１に記載の技術に係る表示装置を用いることにより、当該表示装置の第１の表示部の表示画面を見る者、および当該表示装置の第２の表示部の表示画面を見る者それぞれは、表示画面よりも奥を見ることが可能である。
【０００７】
しかしながら、例えば上記特許文献１に記載の技術に係る表示装置が用いられる場合には、第１の表示部の表示画面および第２の表示部の表示画面における対応する領域が透過状態になければ、透過状態は実現されない。また、上記特許文献１に記載の技術に係る表示装置において透過状態が実現されている場合には、第１の表示部の表示画面および第２の表示部の表示画面それぞれにおいて画像を表示することが可能な領域が、限られてしまう。
【０００８】
本開示では、利便性の向上を図ることが可能な、新規かつ改良された医療用画像表示装置、および制御方法を提案する。
【課題を解決するための手段】
【０００９】
本開示によれば、第１の表示部と、上記第１の表示部と表示方向が異なる第２の表示部と、を備え、上記第２の表示部の表示画面の少なくとも一部には、上記第１の表示部の表示方向側の空間が撮像された医療用撮像画像が表示される、医療用画像表示装置が、提供される。
【００１０】
また、本開示によれば、第１の表示部と、上記第１の表示部と表示方向が異なる第２の表示部と、を備える医療用画像表示装置における表示方法であって、上記第２の表示部の表示画面の少なくとも一部に、上記第１の表示部の表示方向側の空間が撮像された医療用撮像画像が表示されるように、表示を制御する、プロセッサにより実行される表示制御方法が、提供される。
【発明の効果】
【００１１】
本開示によれば、利便性の向上を図ることができる。
【００１２】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１３】
【図１】医療現場における医療用画像表示装置の配置の一例を示す説明図である。
【図２】本実施形態に係る医療用画像表示装置の外観の一例を示す説明図である。
【図３】本実施形態に係る医療用画像表示装置の構成の一例を示す説明図である。
【図４】本実施形態に係る医療用画像表示装置が備える第１の表示部が有する第１の表示パネルと、第２の表示部が有する第２の表示パネルとの構成を概略的に示す説明図である。
【図５】本実施形態に係る医療用画像表示装置における第１の表示例を示す説明図である。
【図６】本実施形態に係る医療用画像表示装置における第２の表示例を示す説明図である。
【図７】本実施形態に係る医療用画像表示装置における第３の表示例を示す説明図である。
【図８】本実施形態に係る医療用画像表示装置における第４の表示例を示す説明図である。
【図９Ａ】本実施形態に係る医療用画像表示装置における第５の表示例を示す説明図である。
【図９Ｂ】本実施形態に係る医療用画像表示装置における第５の表示例を示す説明図である。
【図１０Ａ】本実施形態に係る医療用画像表示装置における第６の表示例を示す説明図である。
【図１０Ｂ】本実施形態に係る医療用画像表示装置における第６の表示例を示す説明図である。
【発明を実施するための形態】
【００１４】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１５】
また、以下では、下記に示す順序で説明を行う。
１．本実施形態に係る医療用画像表示装置、および本実施形態に係る表示制御方法
２．本実施形態に係るプログラム
【００１６】
（本実施形態に係る医療用画像表示装置、および本実施形態に係る表示制御方法）
以下、本実施形態に係る医療用画像表示装置の一例を説明しつつ、本実施形態に係る表示制御方法により実現される表示について説明する。
【００１７】
また、以下では、本実施形態に係る医療用画像表示装置が、手術室（医療現場の一例）で用いられる場合を例に挙げる。なお、本実施形態に係る医療用画像表示装置が用いられるユースケースは、手術室のような医療現場で用いられるユースケースに限られず、本実施形態に係る医療用画像表示装置は、医療用画像表示装置が用いられる任意のユースケースに適用されうる。
【００１８】
また、以下では、本実施形態に係る医療用画像表示装置が、アクティブマトリクス型の医療用画像表示装置である場合を主に説明する。なお、本実施形態に係る医療用画像表示装置が、アクティブマトリクス型の医療用画像表示装置に限られないことは、言うまでもない。
【００１９】
［１］本実施形態に係る医療用画像表示装置の概要
まず、本実施形態に係る医療用画像表示装置の概要を説明する。
【００２０】
図１は、医療現場における医療用画像表示装置の配置の一例を示す説明図である。図１に示すＡ、図１に示すＢ、および図１に示すＣは、それぞれ医療現場における医療用画像表示装置の配置の例を示している。図１では、医療用画像表示装置を「Ｍｏｎｉｔｏｒ」と示している。
【００２１】
例えば図１のＡ〜図１のＣそれぞれにおいて符号Ｇで示すように、医療用画像表示装置の背面側（表示画面がある面と反対側の面側）にいる医療従事者の視線は、当該医療用画像表示装置によって遮られる。よって、医療用画像表示装置が大型化すればする程、当該医療用画像表示装置の背面側（表示画面がある面と反対側の面側）にいる医療従事者が当該医療用画像表示装置の表示画面側で行われている医療行為を見ることは、より困難となる。
【００２２】
よって、上述したように、医療現場において用いられる医療用画像表示装置が大型化するにつれて、医療用画像表示装置の背面側にいる医療従事者と医療用画像表示装置の表示画面側にいる医療従事者との間の連携がとり難くなると、考えられる。
【００２３】
そこで、本実施形態に係る医療用画像表示装置は、第１の表示部と、第１の表示部と表示方向が異なる第２の表示部とを備える。第１の表示部および第２の表示部それぞれの表示画面への表示は、例えば、本実施形態に係る医療用画像表示装置が備える制御部（後述する）、または、本実施形態に係る医療用画像表示装置の外部の制御装置（図示せず）によって制御される。
【００２４】
ここで、本実施形態に係る第１の表示部の表示方向とは、例えば、第１の表示部の表示画面に対応する平面の垂直方向が、挙げられる。また、本実施形態に係る第２の表示部の表示方向とは、例えば、第２の表示部の表示画面に対応する平面の垂直方向が、挙げられる。なお、本実施形態に係る第１の表示部の表示方向と第２の表示部の表示方向とは、上記に示す例に限られず、各表示部に対して同様の基準で設定される方向であってもよい。
【００２５】
例えば、本実施形態に係る医療用画像表示装置では、第１の表示部の表示方向と第２の表示部の表示方向とが反対方向（すなわち、各表示部の表示方向がなす角度が１８０［°］となる方向）となるように、第１の表示部と第２の表示部とが設けられる。なお、第１の表示部の表示方向と第２の表示部の表示方向とは反対方向に限られない。例えば、本実施形態に係る医療用画像表示装置では、各表示部の表示方向がなす角度が、Ｘ［°］（Ｘは、０より大きく１８０より小さい任意の値）となるように、第１の表示部と第２の表示部とが設けられていてもよい。第１の表示部の表示方向と第２の表示部の表示方向とがなす角度は、例えば、本実施形態に係る医療用画像表示装置の用途や、本実施形態に係る医療用画像表示装置のコストなどを勘案して、設計段階などにおいて設定される。
【００２６】
また、本実施形態に係る医療用画像表示装置では、第２の表示部の表示画面の少なくとも一部に、第１の表示部の表示方向側の空間が撮像された医療用撮像画像（静止画像または動画像）が表示される。第２の表示部の表示画面の少なくとも一部に医療用撮像画像が表示されることには、第２の表示部の表示画面全体に医療用撮像画像が表示されることと、第２の表示部の表示画面の一部の領域に医療用撮像画像が表示されることとが、含まれる。
【００２７】
本実施形態に係る医療用画像表示装置が手術室などの医療現場で用いられる場合を例に挙げると、本実施形態に係る第１の表示部の表示方向側の空間が撮像された医療用撮像画像としては、例えば、医療行為が行われる場所における空間が撮像された画像が挙げられる。
【００２８】
ここで、本実施形態に係る医療用撮像画像としては、本実施形態に係る医療用画像表示装置が備える撮像デバイスにより撮像された画像、または、本実施形態に係る医療用画像表示装置に接続された外部の撮像デバイスにより撮像された画像が、挙げられる。
【００２９】
本実施形態に係る医療用画像表示装置が備える撮像デバイス、および外部の撮像デバイスそれぞれは、第１の表示部の表示方向側の空間が撮像されるように、配置される。本実施形態に係る第１の表示部の表示方向側の空間としては、例えば、第１の表示部の視野角の範囲内の空間を、少なくとも一部に含む空間が、挙げられる。撮像デバイスの配置の一例を挙げると、本実施形態に係る医療用画像表示装置が備える撮像デバイスは、例えば、第１の表示部を構成する表示パネルを支持するフレーム部材に配置される。また、外部の撮像デバイスは、例えば、第１の表示部を構成する表示パネルを支持するフレーム部材に配置される。
【００３０】
本実施形態に係る撮像デバイスとしては、例えば、光学系と、ＣＭＯＳ（Complementary  Metal  Oxide  Semiconductor）やＣＣＤ（Charge  Coupled  Device）などの撮像素子を複数用いたイメージセンサとで構成される。光学系は、例えば、対物レンズ、ズームレンズおよびフォーカスレンズなどの１または２以上のレンズとミラーなどの光学素子で構成される。
【００３１】
また、本実施形態に係る撮像デバイスは、１対の撮像素子を有する構成、すなわち、いわゆるステレオカメラとして機能する構成であってもよい。
【００３２】
また、本実施形態に係る撮像デバイスは、例えば４Ｋ、８Ｋなどの、いわゆる高解像度での撮像が可能な構成であってもよい。本実施形態に係る撮像デバイスが高解像度での撮像が可能なように構成されることによって、本実施形態に係る医療用画像表示装置が、例えば５０インチ以上などの大きなサイズの表示画面を有し、医療用撮像画像が表示画面全体に表示される場合であっても、所定の解像度（例えば、Ｆｕｌｌ  ＨＤ画質など）を確保しつつ医療用撮像画像を表示させることが可能となる。よって、本実施形態に係る撮像デバイスが高解像度での撮像が可能な構成であることにより、本実施形態に係る医療用画像表示装置の表示画面に表示される医療用撮像画像を見る者の視認性の向上を図ることが、可能となる。
【００３３】
上記のように、本実施形態に係る医療用画像表示装置では、第２の表示部の表示画面の少なくとも一部に、第１の表示部の表示方向側の空間が撮像された医療用撮像画像が表示される。
【００３４】
よって、第２の表示部の表示画面を見る者は、例えば図１のＡ〜図１のＣそれぞれにおいて符号Ｇで示すように、視線が本実施形態に係る医療用画像表示装置によって遮られたとしても、第２の表示部の表示画面に表示される医療用撮像画像によって、第１の表示部の表示方向側の空間を把握することができる。
【００３５】
本実施形態に係る医療用画像表示装置が手術室などの医療現場で用いられるユースケースに当てはめると、本実施形態に係る医療用画像表示装置の第２の表示部の表示画面側にいる医療従事者（第２の表示部の視野角内にいる医療従事者）は、第２の表示部の表示画面に表示される医療用撮像画像を見ることによって、第１の表示部の表示方向側の空間で行われている医療行為の状況を、把握することができる。よって、本実施形態に係る医療用画像表示装置が用いられることによって、本実施形態に係る医療用画像表示装置の第２の表示部の表示画面側にいる医療従事者と、本実施形態に係る医療用画像表示装置の第１の表示部の表示方向側の空間にいる医療従事者との連携は、より容易となる。
【００３６】
したがって、本実施形態に係る医療用画像表示装置は、利便性の向上を図ることができる。
【００３７】
なお、本実施形態に係る医療用画像表示装置の第２の表示部の表示画面に表示される画像は、第１の表示部の表示方向側の空間が撮像された医療用撮像画像に限られない。
【００３８】
例えば、本実施形態に係る医療用画像表示装置では、第１の表示部の表示方向側の空間が撮像された医療用撮像画像と共に、当該医療用撮像画像に関連する医療用関連画像、マイクロホンで集音された音声の認識結果を示す文字列を示す医療用画像、およびユーザインタフェース画像のうちの１または２以上が、第２の表示部の表示画面に表示されてもよい。
【００３９】
第２の表示部の表示画面に表示される画像のレイアウト、第２の表示部の表示画面に表示される画像の数、および第２の表示部の表示画面に表示される画像の内容それぞれは、ユーザ操作に基づいて変更される。ここで、上記ユーザ操作としては、例えば、第２の表示部の表示画面に対して指などの操作体でタッチ操作（後述するように、第２の表示部がタッチパネルである場合）や、リモートコントローラなどの外部の操作デバイスに対する操作などが、挙げられる。
【００４０】
本実施形態に係る医療用関連画像とは、例えば、第１の表示部の表示方向側の空間が撮像された医療用撮像画像が示す空間において行われる行為に、何らかの関連性を有する内容を含む画像である。
【００４１】
例えば、第１の表示部の表示方向側の空間が撮像された医療用撮像画像が、医療行為が行われる場所における空間が撮像された画像である場合を例に挙げると、本実施形態に係る医療用関連画像は、当該医療行為に関連する画像である。また、医療行為に関連する画像としては、医療行為を受ける患者に関する画像と、医療行為の流れを示す画像との一方または双方が、挙げられる。
【００４２】
本実施形態に係る医療行為を受ける患者に関する画像としては、例えば下記に示す例が挙げられる。なお、本実施形態に係る医療行為を受ける患者に関する画像が、下記に示す例に限られないことは、言うまでもない。
・医療行為を受ける患者のバイタルを示す画像
・医療行為を受ける患者のＣＴ（Computed  Tomography）画像
・医療行為を受ける患者のＤＲ（Digital  Radiography）画像
・医療行為を受ける患者に対応するＲＩＳ（Radiology  Information  System）情報を示す画像
・医療行為を受ける患者に関連する別の手術（例えば、移植手術など）が行われる手術室が撮像された医療用撮像画像
【００４３】
また、本実施形態に係る医療行為の流れを示す画像としては、例えば、手術の流れを示す画像（例えば、術式に応じた手術手順書の内容を示す画像）や、手術の流れおよび手術における手技の進行状態を示す画像などが、挙げらえる。なお、本実施形態に係る医療行為の流れを示す画像が、上記に示す例に限られないことは、言うまでもない。
【００４４】
また、本実施形態に係るマイクロホンで集音された音声の認識結果を示す文字列とは、マイクロホンにより集音された音声に対して、任意の音声認識に係る処理が行われた結果得られる文字列（１文字も含む。）である。
【００４５】
マイクロホンにより集音された音声に対する音声認識処理は、本実施形態に係る医療用画像表示装置（例えば、後述する制御部）において行われてもよいし、本実施形態に係る医療用画像表示装置の外部装置において行われてもよい。また、音声を集音するマイクロホンは、本実施形態に係る医療用画像表示装置が備えるマイクロホンであってもよいし、本実施形態に係る医療用画像表示装置の外部のマイクロホンであってもよい。
【００４６】
また、本実施形態に係るユーザインタフェース画像とは、本実施形態に係る医療用画像表示装置を用いる者が、本実施形態に係る医療用画像表示装置に対する操作を行うための画像である。
【００４７】
本実施形態に係るユーザインタフェース画像としては、例えば、第２の表示部の表示画面の表示内容を切り替えるための操作画像が挙げられる。第２の表示部の表示画面の表示内容を切り替えるための操作画像により実現される、第２の表示部の表示画面の表示内容の切り替えとしては、例えば、画像が表示される領域の入れ替え、表示される画像の切り替え、表示されている画像の表示の取り消しのうちの、１または２以上が、挙げられる。
【００４８】
例えば、本実施形態に係るユーザインタフェース画像が第２の表示部の表示画面の表示内容を切り替えるための操作画像であり、ユーザインタフェース画像に対する操作が行われた場合、ユーザインタフェース画像に対する操作に対応して第２の表示部の表示が変化することとなる。
【００４９】
なお、本実施形態に係るユーザインタフェース画像の例は、上記に示す例に限られない。
【００５０】
例えば、本実施形態に係るユーザインタフェース画像には、第２の表示部の表示画面の表示内容を第１の表示部の表示画面に反映させるための操作画像が、含まれていてもよい。
【００５１】
例えば、本実施形態に係るユーザインタフェース画像に、第２の表示部の表示画面の表示内容を第１の表示部の表示画面に反映させるための操作画像が含まれ、ユーザインタフェース画像に対する操作が行われた場合、ユーザインタフェース画像に対する操作に対応して、第２の表示部の表示内容が第１の表示部の表示画面に反映される。つまり、本実施形態に係るユーザインタフェース画像に、第２の表示部の表示画面の表示内容を第１の表示部の表示画面に反映させるための操作画像が含まれる場合には、例えば、第１の表示部の表示を第２の表示部の表示と同様に変化させることを、実現することができる。
【００５２】
また、本実施形態に係る医療用画像表示装置が手術室などの医療現場で用いられる場合を例に挙げると、本実施形態に係るユーザインタフェース画像には、医療行為に対するアノテーションを行うためのアノテーション画像が含まれていてもよい。本実施形態に係るユーザインタフェース画像に、医療行為に対するアノテーション画像が含まれることによって、例えば、“手術中に、術者などの医療従事者に対して指示や指導を行うこと”が、実現される。
【００５３】
本実施形態に係る医療用画像表示装置の第１の表示部の表示画面に表示される画像、および第２の表示部の表示画面に表示される画像の例については、後述する。
【００５４】
［２］本実施形態に係る医療用画像表示装置の構成
次に、本実施形態に係る医療用画像表示装置の構成の一例を説明する。
【００５５】
図２は、本実施形態に係る医療用画像表示装置１００の外観の一例を示す説明図である。図２では、医療用画像表示装置１００が接続アーム２００により支持される例を示している。接続アーム２００は、医療用画像表示装置１００が手術室などの空間の天井部分から吊り下げられるように、医療用画像表示装置１００を支持する役目を果たす。
【００５６】
医療用画像表示装置１００は、例えば、第１の表示部１０２と第２の表示部１０４とを備える。図１に示す例では、第１の表示部１０２と第２の表示部１０４とが、第１の表示部１０２の表示方向と第２の表示部１０４の表示方向とが反対方向となるように、配置されている例を示している。
【００５７】
つまり、図１に示す医療用画像表示装置１００では、例えば、第１の表示部１０２の表示画面が医療用画像表示装置１００における前面の表示画面に該当し、第２の表示部１０４の表示画面が医療用画像表示装置１００における背面の表示画面に該当する。なお、図１に示す医療用画像表示装置１００では、例えば、第２の表示部１０４の表示画面が医療用画像表示装置１００における前面の表示画面に該当し、第１の表示部１０２の表示画面が医療用画像表示装置１００における背面の表示画面に該当してもよい。以下では、第１の表示部１０２の表示画面が設けられる側が、主表示画面の役目を果たす医療用画像表示装置１００の前面であり、第２の表示部１０４の表示画面が設けられる側が、副表示画面の役目を果たす医療用画像表示装置１００の背面である場合を、例に挙げる。
【００５８】
医療用画像表示装置１００では、医療用画像表示装置１００の側面に吸気孔Ｈ１が設けられ、医療用画像表示装置１００の接続アーム２００との接続部分に排気孔（図示せず）が設けられる。また、接続アーム２００には排気孔Ｈ２が設けられる。なお、医療用画像表示装置１００の吸気孔Ｈ１には、吸気フィルタが設けられ、医療用画像表示装置１００の排気孔（図示せず）、および接続アーム２００の排気孔Ｈ２それぞれには、排気フィルタが設けられていてもよい。
【００５９】
医療用画像表示装置１００は、吸気孔Ｈ１から吸気を行い、排気孔（図示せず）から排気を行う。医療用画像表示装置１００から排気された気体は、接続アーム２００内部の通気口を介して接続アーム２００排気孔Ｈ２から排気される。
【００６０】
医療用画像表示装置１００における吸気および排気が、例えば図１に示すように行われることによって、例えば下記のような効果が奏される。
・医療用画像表示装置１００が手術室などの医療現場に用いられる場合において、医療用画像表示装置１００から排気される気体が、医療現場において行われる医療行為に衛生上影響を与える可能性がより低減される。
【００６１】
医療用画像表示装置１００は、例えば図１に示すように接続アーム２００により支持されることによって、手術室などの空間内に配置される。なお、空間内に医療用画像表示装置１００を配置する方法は、図１に示すような接続アーム２００を用いる方法に限られない。医療用画像表示装置１００は、例えば、スタンドなどの医療用画像表示装置１００を支持することが可能な任意の部材によって、空間内に配置されてもよい。
【００６２】
図３は、本実施形態に係る医療用画像表示装置１００の構成の一例を示す説明図である。医療用画像表示装置１００は、例えば、第１の表示部１０２と、第２の表示部１０４と、制御部１０６と、通信部１０８とを備える。医療用画像表示装置１００は、例えば、医療用画像表示装置１００が備えているバッテリなどの内部電源から供給される電力、または、接続されている外部電源から供給される電力などによって、駆動する。
【００６３】
［２−１］第１の表示部１０２、第２の表示部１０４
第１の表示部１０２は、医療用画像表示装置１００が備える一の表示手段であり、第２の表示部１０４は、医療用画像表示装置１００が備える他の表示手段である。第１の表示部１０２と第２の表示部１０４とは、例えば図１に示すように、互いに表示方向が異なるように設けられる。
【００６４】
［２−１−１］第１の表示部１０２の構成の一例
第１の表示部１０２は、例えば、第１の表示パネル１１０と、第１の駆動回路１１２と、で構成される。
【００６５】
第１の表示パネル１１０は、例えば、複数の画素回路を有し、供給される表示データに基づく画像を表示画面に表示させる。第１の表示パネル１１０を構成する画素回路それぞれは、例えば、行状に配された制御線と列状に配された信号線との交差部分に、マトリクス状に配置される。第１の表示パネル１１０を構成する画素回路の数、制御線の数、および信号線の数は、例えば、第１の表示部１０２が対応する解像度などに対応する。
【００６６】
第１の表示パネル１１０を構成する画素回路としては、例えば、液晶素子と駆動トランジスタとを含む画素回路や、電流が流れることにより発光する任意の発光素子と駆動トランジスタとを含む画素回路が、挙げられる。本実施形態に係る発光素子としては、例えば、有機ＥＬ（Electro  Luminescence）素子や無機ＥＬ素子など、電流が流れることにより発光する任意の発光素子が挙げられる。
【００６７】
第１の表示パネル１１０は、液晶ディスプレイに対応する構成、有機ＥＬディスプレイに対応する構成、無機ＥＬディスプレイに対応する構成など、表示画面に画像を表示することが可能な、任意の表示方式に対応する構成をとる。以下では、第１の表示パネル１１０が、液晶ディスプレイに対応する構成である場合を主に例に挙げる。
【００６８】
第１の駆動回路１１２は、第１の表示パネル１１０を構成する画素回路を駆動させる。
【００６９】
第１の駆動回路１１２は、例えば、スキャンドライバとデータドライバとを有し、画素回路における表示データの更新、駆動トランジスタの閾値電圧の補償、発光素子の発光などを、制御する。
【００７０】
第１の駆動回路１１２が有するスキャンドライバは、制御線と電気的に接続され、制御線に制御信号を選択的に供給する。第１の駆動回路１１２が有するスキャンドライバが電気的に接続される制御線としては、例えば、表示データの更新タイミングを制御するための制御線、画素回路を構成する表示データ更新回路と駆動トランジスタの閾値電圧の補償回路とを切り離す回路切断スイッチタイミングを制御するための制御線、画素回路の初期化タイミングを制御するための制御線など、第１の表示パネル１１０が有する機能を実現するための１または２以上の制御信号が、挙げられる。第１の駆動回路１１２が有するスキャンドライバは、電気的に接続されている各種制御線に対して、それぞれ対応する制御信号を、所定のタイミングに従って供給する。
【００７１】
第１の駆動回路１１２が有するデータドライバは、信号線と電気的に接続され、表示データを信号線に選択的に供給する。ここで、表示データは、例えば、制御部１０６（より具体的には、例えば後述する第１の画像処理回路１２０）から伝達される。
【００７２】
第１の表示部１０２は、例えば上記のような構成を有する第１の表示パネル１１０および第１の駆動回路１１２で構成される。
【００７３】
第１の表示部１０２の構成は、上記に示す例に限られない。
【００７４】
例えば、第１の表示部１０２は、第１の駆動回路１１２における処理タイミング（例えば、第１の駆動回路１１２を構成するスキャンドライバおよびデータドライバにおける処理タイミング）を制御するタイミングコントローラ（図示せず）を含んでいてもよい。また、第１の表示部１０２がタイミングコントローラ（図示せず）を含む場合、当該タイミングコントローラは、第２の表示部１０４における処理タイミングを、さらに制御してもよい。
【００７５】
［２−１−２］第２の表示部１０４の構成の一例
第２の表示部１０４は、例えば、第２の表示パネル１１４と、第２の駆動回路１１６とで構成される。
【００７６】
第２の表示パネル１１４は、例えば第１の表示パネル１１０と同様に、複数の画素回路を有し、供給される表示データに基づく画像を表示画面に表示させる。第２の表示パネル１１４を構成する画素回路それぞれは、例えば、行状に配された制御線と列状に配された信号線との交差部分に、マトリクス状に配置される。第２の表示パネル１１４を構成する画素回路の数、制御線の数、および信号線の数は、例えば、第２の表示部１０４が対応する解像度などに対応する。
【００７７】
ここで、第２の表示パネル１１４を構成する画素回路の数、制御線の数、および信号線の数としては、例えば、第１の表示パネル１１０を構成する画素回路の数、制御線の数、および信号線の数それぞれと同一の数が、挙げられる。また、第２の表示パネル１１４を構成する画素回路の数、制御線の数、および信号線の数は、第１の表示パネル１１０を構成する画素回路の数、制御線の数、および信号線の数それぞれと異なっていてもよい。
【００７８】
つまり、医療用画像表示装置１００では、第１の表示部１０２の表示画面の解像度と第２の表示部１０４の表示画面の解像度とが、同一であってもよいし、異なっていてもよい。第１の表示部１０２の表示画面の解像度と第２の表示部１０４の表示画面の解像度とが異なる場合の具体例を挙げると、“第２の表示部１０４の表示画面の解像度が第１の表示部１０２の表示画面の解像度よりも小さいこと”、または、第１の表示部１０２の表示画面の解像度が第２の表示部１０４の表示画面の解像度よりも小さいこと”が、挙げられる。
【００７９】
第２の表示パネル１１４を構成する画素回路としては、例えば第１の表示パネル１１０と同様に、液晶素子と駆動トランジスタとを含む画素回路や、電流が流れることにより発光する任意の発光素子と駆動トランジスタとを含む画素回路が、挙げられる。第２の表示パネル１１４を構成する画素回路と、第１の表示パネル１１０を構成する画素回路とは、同一の構成であってもよいし、異なる構成であってもよい。
【００８０】
第２の表示パネル１１４は、第１の表示パネル１１０と同様に、液晶ディスプレイに対応する構成、有機ＥＬディスプレイに対応する構成、無機ＥＬディスプレイに対応する構成など、表示画面に画像を表示することが可能な、任意の表示方式に対応する構成をとる。以下では、第２の表示パネル１１４が、液晶ディスプレイに対応する構成である場合を主に例に挙げる。
【００８１】
第２の駆動回路１１６は、第２の表示パネル１１４を構成する画素回路を駆動させる。
【００８２】
第２の駆動回路１１６は、例えば第１の駆動回路１１２と同様に、スキャンドライバとデータドライバとを有し、画素回路における表示データの更新、駆動トランジスタの閾値電圧の補償、発光素子の発光などを、制御する。
【００８３】
第２の駆動回路１１６が有するスキャンドライバは、制御線と電気的に接続され、制御線に制御信号を選択的に供給する。第２の駆動回路１１６が有するスキャンドライバが電気的に接続される制御線としては、例えば第１の駆動回路１１２が有するスキャンドライバと同様に、第２の表示パネル１１４が有する機能を実現するための１または２以上の制御信号が、挙げられる。第２の駆動回路１１６が有するスキャンドライバは、電気的に接続されている各種制御線に対して、それぞれ対応する制御信号を、所定のタイミングに従って供給する。
【００８４】
第２の駆動回路１１６が有するデータドライバは、信号線と電気的に接続され、表示データを信号線に選択的に供給する。ここで、表示データは、例えば、制御部１０６（より具体的には、例えば後述する第２の画像処理回路１２２）から伝達される。
【００８５】
第２の表示部１０４は、例えば上記のような構成を有する第２の表示パネル１１４および第２の駆動回路１１６で構成される。
【００８６】
第２の表示部１０４の構成は、上記に示す例に限られない。
【００８７】
例えば、第２の表示部１０４は、第２の駆動回路１１６における処理タイミング（例えば、第２の駆動回路１１６を構成するスキャンドライバおよびデータドライバにおける処理タイミング）を制御するタイミングコントローラ（図示せず）を含んでいてもよい。また、第２の表示部１０４がタイミングコントローラ（図示せず）を含む場合、当該タイミングコントローラは、第１の表示部１０２における処理タイミングを、さらに制御してもよい。
【００８８】
［２−１−３］第１の表示部１０２、および第２の表示部１０４の実現例
ここで、第１の表示部１０２および第２の表示部１０４の実現例について説明する。図４は、本実施形態に係る医療用画像表示装置１００が備える第１の表示部１０２が有する第１の表示パネル１１０と、第２の表示部１０４が有する第２の表示パネル１１４との構成を概略的に示す説明図である。図４は、医療用画像表示装置１００が液晶ディスプレイである場合における構成の一例を示している。
【００８９】
第１の表示パネル１１０は、液晶層１３０Ａと、カラーフィルタ１３２Ａと、偏光フィルタ１３４Ａとを有する。また、第２の表示パネル１１４は、液晶層１３０Ｂと、カラーフィルタ１３２Ｂと、偏光フィルタ１３４Ｂとを有する。
【００９０】
第１の表示パネル１１０と第２の表示パネル１１４との間には、導光板１３６が設けられ、導光板１３６には、光源１３８Ａおよび光源１３８Ｂからそれぞれ光が入射される。光源１３８Ａ、１３８Ｂとしては、例えば、ＬＥＤ（Light  Emitting  Diode）などが挙げられる。
【００９１】
光源１３８Ａ、１３８Ｂそれぞれから導光板１３６に入射された光は、導光板１３６において拡散され、第１の表示パネル１１０および第２の表示パネル１１４それぞれに入射される。
【００９２】
よって、図４に示す構成を有する医療用画像表示装置１００では、第１の表示部１０２の表示画面、および第２の表示部１０４の表示画面それぞれにおいて、画像を表示することができる。
【００９３】
また、図４に示す構成を有する医療用画像表示装置１００では、第１の表示部１０２および第２の表示部１０４で光源１３８Ａ、１３８Ｂが共有される。ここで、光源を有する医療用画像表示装置では、光源において消費される電力が高く、また、光源における発熱が大きい。よって、図４に示す構成を有する医療用画像表示装置１００は、“２つの表示部を備える構成でありながら、１つの表示部を備える医療用画像表示装置と同程度に消費電力を抑えることができ、また、１つの表示部を備える医療用画像表示装置と同程度の性能を有する排熱機構を備えていれば、熱対策は十分である”という、利点を有する。
【００９４】
なお、第１の表示部１０２、および第２の表示部１０４の実現例は、図４に示す例に限られない。
【００９５】
例えば、図４では、第１の表示パネル１１０と第２の表示パネル１１４との大きさが同じである例、すなわち、第１の表示部１０２の表示画面のサイズと第２の表示部１０４の表示画面のサイズとが同一である例を示しているが、第１の表示部１０２の表示画面のサイズと第２の表示部１０４の表示画面のサイズとは、異なっていてもよい。第１の表示部１０２の表示画面のサイズと第２の表示部１０４の表示画面のサイズとが異なる場合の具体例を挙げると、“第２の表示部１０４の表示画面のサイズが第１の表示部１０２の表示画面のサイズよりも小さいこと”、または、第１の表示部１０２の表示画面のサイズが第２の表示部１０４の表示画面のサイズよりも小さいこと”が、挙げられる。
【００９６】
また、第１の表示部１０２を構成する第１の表示パネル１１０と、第２の表示部１０４を構成する第２の表示パネル１１４との一方または双方には、例えば、指などの操作体による表示画面に対する操作を検出するためにセンサが、設けられていてもよい。上記センサとしては、例えば、相互容量方式で表示画面に対する操作を検出するセンサなど、表示画面に対する操作を検出することが可能な、任意の検出方式のセンサが、挙げられる。つまり、医療用画像表示装置１００では、第１の表示部１０２と第２の表示部１０４との一方または双方が、タッチパネルであってもよい。
【００９７】
また、図４では、第１の表示部１０２および第２の表示部１０４で光源が共有されている例を示しているが、医療用画像表示装置１００は、第１の表示部１０２および第２の表示部１０４それぞれに対応する光源が設けられる構成であってもよい。
【００９８】
また、図４では、第１の表示部１０２を構成する第１の表示パネル１１０と、第２の表示部１０４を構成する第２の表示パネル１１４とが、同一の構成を有する例を示しているが、医療用画像表示装置１００では、第１の表示パネル１１０の構成と第２の表示パネル１１４の構成とが異なっていてもよい。つまり、医療用画像表示装置１００は、第１の表示部１０２と第２の表示部１０４とで相異なる表示方式の構成をとることも、可能である。
【００９９】
［２−２］制御部１０６
再度図３を参照して、医療用画像表示装置１００の構成の一例を説明する。制御部１０６は、本実施形態に係る表示制御方法に係る処理を主導的に行う役目を果たし、第１の表示部１０２および第２の表示部１０４それぞれの表示画面への表示を制御する。
【０１００】
制御部１０６は、例えば、第１の表示部１０２および第２の表示部１０４それぞれに対して、表示画面への表示制御のための信号と、表示画面に表示させる画像を示す表示データとを伝達することによって、第１の表示部１０２および第２の表示部１０４それぞれの表示画面への表示を制御する。第１の表示部１０２の表示画面への表示制御のための信号としては、例えば第１の表示部１０２の第１の駆動回路１１２における処理タイミングを規定する信号が挙げられる。また、第２の表示部１０４の表示画面への表示制御のための信号としては、例えば第２の表示部１０４び第２の駆動回路１１６における処理タイミングを規定する信号が挙げられる。なお、本実施形態に係る表示画面への表示制御のための信号は、上記に示す例に限られず、第１の表示部１０２および第２の表示部１０４それぞれの表示画面への表示を制御することが可能な任意の信号であってもよい。
【０１０１】
制御部１０６は、例えば、第２の表示部１０４の表示画面の少なくとも一部に、第１の表示部１０２の表示方向側の空間が撮像された医療用撮像画像が表示されるように、第２の表示部１０４の表示画面への表示を制御する。上述したように、第２の表示部１０４の表示画面の少なくとも一部に医療用撮像画像が表示されることには、第２の表示部１０４の表示画面全体に医療用撮像画像が表示されることと、第２の表示部１０４の表示画面の一部の領域に医療用撮像画像が表示されることとが、含まれる。
【０１０２】
なお、制御部１０６における表示制御方法に係る処理は、上記に示す例に限られない。
【０１０３】
例えば、制御部１０６は、医療用撮像画像に関連する医療用関連画像、マイクロホンで集音された音声の認識結果を示す文字列を示す医療用画像、およびユーザインタフェース画像とのうちの１または２以上を、第１の表示部１０２の表示方向側の空間が撮像された医療用撮像画像と共に、第２の表示部１０４の表示画面に表示させることも可能である。
【０１０４】
一例を挙げると、制御部１０６は、マイクロホンにより集音された音声に対して、任意の音声認識に係る処理を行い、マイクロホンにより集音された音声の認識結果を示す文字列を得る。そして、制御部１０６は、マイクロホンで集音された音声の認識結果を示す文字列を示す医療用画像を、第１の表示部１０２の表示方向側の空間が撮像された医療用撮像画像と共に、第２の表示部１０４の表示画面に表示させる。
【０１０５】
制御部１０６における表示制御方法に係る処理の例、および、制御部１０６における表示制御方法に係る処理によって実現される、第１の表示部１０２および第２の表示部１０４それぞれの表示画面の表示例については、後述する。
【０１０６】
制御部１０６は、例えば、制御回路１１８と、第１の画像処理回路１２０と、第２の画像処理回路１２２とを有する。
【０１０７】
制御回路１１８は、第１の表示部１０２および第２の表示部１０４それぞれの表示画面への表示の制御を主導的に行う役目を果たす。
【０１０８】
一例を挙げると、制御回路１１８は、第１の画像処理回路１２０、および第２の画像処理回路１２２それぞれにおける処理の実行を制御する。他の例を挙げると、制御回路１１８は、第１の駆動回路１１２を構成するスキャンドライバおよびデータドライバにおける処理タイミングと、第２の駆動回路１１６を構成するスキャンドライバおよびデータドライバにおける処理タイミングとをそれぞれ制御する。つまり、制御回路１１８は、医療用画像表示装置１００におけるタイミングコントローラの役目を果たしていてもよい。
【０１０９】
また、制御回路１１８は、医療用画像表示装置１００全体を制御する役目を果たしていてもよい。
【０１１０】
制御回路１１８が医療用画像表示装置１００全体を制御する役目を果たす場合における制御の一例を挙げると、制御回路１１８は、例えば、通信部１０８における通信を制御する。また、他の例を挙げると、制御回路１１８は、医療用画像表示装置１００が備える撮像デバイス（後述する）や、医療用画像表示装置１００の外部の撮像デバイスにおける撮像を制御する。さらに、制御回路１１８は、例えば、医療用画像表示装置１００が備えるマイクロホン（後述する）や、医療用画像表示装置１００の外部のマイクロホンにおける集音を制御してもよい。
【０１１１】
制御回路１１８は、例えばＭＰＵ（Micro  Processing  Unit）などの演算回路で構成される、１または２以上のプロセッサで構成される。なお、制御回路１１８として機能する上記プロセッサは、さらに、第１の画像処理回路１２０および第２の画像処理回路１２２の一方または双方として機能してもよい。
【０１１２】
第１の画像処理回路１２０は、例えば、通信部１０８から伝達される画像信号や、医療用画像表示装置１００が備える撮像デバイス（後述する）から伝達される医療用撮像画像を示す画像信号などの、画像信号に対して、所定の画像処理を行い、第１の表示部１０２の表示画面に画像を表示させるための表示データを生成する。そして、第１の画像処理回路１２０は、生成した表示データを、第１の表示部１０２の第１の駆動回路１１２へ伝達する。
【０１１３】
第１の画像処理回路１２０における画像処理としては、例えば、ガンマ補正、ホワイトバランスの調整、電子ズーム機能に係る画像の拡大または縮小、画素間補正などの画像に対して行われる任意の処理のうちの、１または２以上の処理が、挙げられる。
【０１１４】
第２の画像処理回路１２２は、例えば、通信部１０８から伝達される画像信号や、医療用画像表示装置１００が備える撮像デバイス（後述する）から伝達される医療用撮像画像を示す画像信号などの、画像信号に対して、所定の画像処理を行い、第２の表示部１０４の表示画面に画像を表示させるための表示データを生成する。そして、第２の画像処理回路１２２は、生成した表示データを、第２の表示部１０４の第２の駆動回路１１６へ伝達する。
【０１１５】
第２の画像処理回路１２２における画像処理としては、例えば、ガンマ補正、ホワイトバランスの調整、電子ズーム機能に係る画像の拡大または縮小、画素間補正などの画像に対して行われる任意の処理のうちの、１または２以上の処理が、挙げられる。第２の画像処理回路１２２が有する画像処理機能は第１の画像処理回路１２０が有する画像処理機能と同一であってもよいし、異なっていてもよい。
【０１１６】
制御部１０６は、例えば、制御回路１１８、第１の画像処理回路１２０、および第２の画像処理回路１２２を有することによって、第１の表示部１０２および第２の表示部１０４それぞれの表示画面への表示を制御する。制御部１０６における制御によって実現される、第１の表示部１０２の表示画面および第２の表示部１０４の表示画面それぞれの表示の一例については、後述する。
【０１１７】
なお、制御部１０６の構成は、図４に示す例に限られず、第１の表示部１０２および第２の表示部１０４それぞれの表示画面への表示を制御することが可能な、任意の構成であってもよい。
【０１１８】
［２−３］通信部１０８
通信部１０８は、医療用画像表示装置１００が備える通信手段であり、外部の撮像デバイスや、メディカルコントローラ、サーバ、外部のマイクロホン、外部の記録デバイスなどの外部装置と無線または有線で通信を行う役目を果たす。
【０１１９】
通信部１０８は、例えば通信デバイス（図示せず）で構成され、通信部１０８における通信は、例えば制御部１０６によって制御される。ここで、通信デバイス（図示せず）としては、例えば、ＩＥＥＥ８０２．１５．１ポートおよび送受信回路（無線通信）や、ＩＥＥＥ８０２．１１ポートおよび送受信回路（無線通信）、通信アンテナおよびＲＦ（Radio  Frequency）回路（無線通信）、あるいはＬＡＮ（Local  Area  Network）端子および送受信回路（有線通信）など、任意の通信方式に対応するデバイスが挙げられる。また、通信部１０８は、複数の通信デバイス（図示せず）で構成されていてもよい。
【０１２０】
例えば通信部１０８において、外部装置から送信された画像を示す信号が受信された場合、当該画像を示す信号は、制御部１０６において処理される。そして、医療用画像表示装置１００では、制御部１０６における表示制御によって、第１の表示部１０２および第２の表示部１０４それぞれの表示画面に、対応する画像が表示される。
【０１２１】
医療用画像表示装置１００では、例えば図３に示す構成によって、第１の表示部１０２および第２の表示部１０４それぞれの表示画面に、画像が表示される。
【０１２２】
ここで、上述したように、医療用画像表示装置１００では、第２の表示部１０４の表示画面の少なくとも一部に、第１の表示部１０２の表示方向側の空間が撮像された医療用撮像画像が表示される。よって、第２の表示部１０４の表示画面を見る者は、例えば図１のＡ〜図１のＣそれぞれにおいて符号Ｇで示すように、視線が医療用画像表示装置１００によって遮られたとしても、第２の表示部１０４の表示画面に表示される医療用撮像画像によって、第１の表示部１０２の表示方向側の空間を把握することができる。
【０１２３】
したがって、医療用画像表示装置１００は、利便性の向上を図ることができる。
【０１２４】
なお、本実施形態に係る医療用画像表示装置の構成は、図３に示す例に限られない。
【０１２５】
例えば、本実施形態に係る医療用画像表示装置は、第１の表示部１０２の表示方向側の空間を撮像する撮像デバイスを備えていてもよい。上記撮像デバイスを備える場合、上記撮像デバイスは、本実施形態に係る医療用画像表示装置において撮像を行う役目を果たす撮像部（図示せず）として機能する。上記撮像デバイスを備える場合、第２の表示部１０４の表示画面の少なくとも一部に表示される医療用撮像画像には、本実施形態に係る医療用画像表示装置が備える撮像デバイスにより撮像された画像が含まれることとなる。
【０１２６】
また、本実施形態に係る医療用画像表示装置は、例えば、マイクロホンを備えていてもよい。上記マイクロホンを備える場合、上記マイクロホンは、本実施形態に係る医療用画像表示装置において集音を行う役目を果たす集音部（図示せず）として機能する。上記マイクロホンを備える場合、後述するように、上記マイクロホンにより集音された音声の認識結果を示す文字列を示す医療用画像が、第２の表示部１０４の表示画面に表示されてもよい。上記マイクロホンにより集音された音声の認識に係る処理は、例えば、本実施形態に係る医療用画像表示装置が備える制御部１０６を構成する制御回路１１８において行われる。また、例えば、上記マイクロホンにより集音された音声の認識に係る処理は、本実施形態に係る医療用画像表示装置の外部装置で行われ、本実施形態に係る医療用画像表示装置が備える制御部１０６は、当該外部装置で行われた音声認識結果を示すデータを用いて表示制御を行ってもよい。
【０１２７】
また、本実施形態に係る医療用画像表示装置は、第２の表示部１０４の表示画面に表示されている表示内容を示す画像を出力する出力端子と、第１の表示部１０２の表示画面に表示されている表示内容を示す画像を出力する出力端子との一方または双方を、備えていてもよい。上記に示すような出力端子からの画像の出力は、例えば、制御部１０６の制御回路１１８によって制御される。
【０１２８】
本実施形態に係る医療用画像表示装置が上記に示すような出力端子を備えることによって、例えば下記に示すようなことが実現される。
・第２の表示部１０４の表示画面に表示されている表示内容を示す画像と、第１の表示部１０２の表示画面に表示されている表示内容を示す画像との一方または双方を、本実施形態に係る医療用画像表示装置の外部の記録媒体に記憶させることができる（出力先が、外部の記録媒体である場合）。
・第２の表示部１０４の表示画面に表示されている表示内容を示す画像と、第１の表示部１０２の表示画面に表示されている表示内容を示す画像との一方または双方を、本実施形態に係る医療用画像表示装置の外部の表示デバイスに表示させることができる（出力先が、外部の表示デバイスである場合）。
【０１２９】
本実施形態に係る医療用画像表示装置が手術室（医療現場の一例）で用いられる場合を例に挙げると、上記に示すように出力先が外部の記録媒体である場合には、例えば手術の状況を示す画像データが、外部の記録媒体に記憶される。外部の記録媒体に記憶された画像データは、例えば術者などの医療従事者の教育などに用いることが可能である。
【０１３０】
また、例えば、通信部１０８と同様の機能、構成を有する外部の通信デバイスを介して外部装置と通信を行う場合、または、スタンドアロンで動作する場合には、本実施形態に係る医療用画像表示装置は、通信部１０８を備えていなくてもよい。
【０１３１】
また、例えば、制御部１０６と同様の機能、構成を有する外部のプロセッサ（または、当該プロセッサを含む外部装置）によって、第１の表示部１０２および第２の表示部１０４それぞれの表示画面への表示が制御される場合には、本実施形態に係る医療用画像表示装置は、制御部１０６を備えていなくてもよい。本実施形態に係る医療用画像表示装置が制御部１０６を備えない構成である場合、本実施形態に係る医療用画像表示装置と、制御部１０６と同様の機能、構成を有する外部のプロセッサ（または、当該プロセッサを含む外部の表示制御装置）とを含むシステムによって、後述する第１の表示部１０２および第２の表示部１０４それぞれの表示画面の表示例が、実現される。
【０１３２】
［３］本実施形態に係る医療用画像表示装置における表示例
次に、本実施形態に係る医療用画像表示装置における表示例について説明する。以下では、図２〜図４を参照して説明した医療用画像表示装置１００を例に挙げて、第１の表示部１０２および第２の表示部１０４それぞれの表示画面の表示例を挙げる。また、以下では、本実施形態に係る医療用画像表示装置が手術室（医療現場の一例）で用いられる場合における、第１の表示部１０２および第２の表示部１０４それぞれの表示画面の表示例を示す。
【０１３３】
［３−１］第１の表示例：第１の表示部１０２の表示画面の表示例
図５は、本実施形態に係る医療用画像表示装置１００における第１の表示例を示す説明図であり、第１の表示部１０２の表示画面に表示される画像の一例を示している。
【０１３４】
第１の表示部１０２の表示画面には、例えば、内視鏡装置により撮像された医療用撮像画像や電子撮像式の医療用観察装置により撮像された医療用撮像画像などの、医療行為に関連する様々な画像が、表示される。図５では、内視鏡装置により撮像された医療用撮像画像の一例を示している。
【０１３５】
［３−２］第２の表示例：第２の表示部１０４の表示画面の第１の表示例
図６は、本実施形態に係る医療用画像表示装置１００における第２の表示例を示す説明図である。図６のＡは、第２の表示部１０４の表示画面に表示される画像の第１の例を示している。また、図６のＢおよび図６のＣは、第２の表示部１０４の表示画面に表示されうる画像の一例を示している。
【０１３６】
図６のＡに示す第２の表示部１０４の表示画面には、例えば、符号Ｇ１〜Ｇ５で示される画像が表示される。画像Ｇ１は、第１の表示部１０２の表示方向側の空間が撮像された医療用撮像画像の一例を示している。また、画像Ｇ２〜Ｇ４は、医療行為に関連する画像（医療用撮像画像に関連する医療用関連画像の一例）の例をそれぞれ示している。また、画像Ｇ５は、マイクロホンで集音された音声の認識結果を示す文字列を示す医療用画像の一例を示している。
【０１３７】
つまり、図６のＡは、第１の表示部１０２の表示方向側の空間が撮像された医療用撮像画像に関連する医療用関連画像と、マイクロホンで集音された音声の認識結果を示す文字列を示す医療用画像とが、第２の表示部１０４の表示画面に、当該医療用撮像画像と共に表示されている例を示している。
【０１３８】
また、図６のＡに示す各画像が表示される領域は、例えば、第２の表示部１０４の表示画面に対して指などの操作体でタッチ操作（第２の表示部１０４がタッチパネルである場合）や、リモートコントローラなどの外部の操作デバイスに対する操作などの、ユーザ操作に基づいて、変更可能であってもよい。つまり、医療用画像表示装置１００を用いる者は、上記のような操作によって、第２の表示部１０４の表示画面のレイアウトを任意に変更することができる。
【０１３９】
また、第２の表示部１０４の表示画面に表示される図６のＡに示す画像Ｇ２〜Ｇ５それぞれは、上記のようなユーザ操作に基づいて、図６のＢに示す画像や図６のＣに示す画像などの他の画像と切り替えられてもよい。さらに、第２の表示部１０４の表示画面に表示される図６のＡに示す画像Ｇ２〜Ｇ５それぞれは、上記のようなユーザ操作に基づいて、表示が取り消されてもよい。つまり、医療用画像表示装置１００を用いる者は、上記のような操作によって、第２の表示部１０４の表示画面に表示される画像の数、および第２の表示部１０４の表示画面に表示される画像の内容それぞれを、任意に変更することができる。
【０１４０】
［３−３］第３の表示例：第２の表示部１０４の表示画面の第２の表示例
図７は、本実施形態に係る医療用画像表示装置１００における第３の表示例を示す説明図である。図７は、第２の表示部１０４の表示画面に表示される画像の第２の例を示している。
【０１４１】
図７に示す第２の表示部１０４の表示画面には、例えば、符号Ｇ１〜Ｇ５で示される画像が表示される。画像Ｇ１は、第１の表示部１０２の表示方向側の空間が撮像された医療用撮像画像の一例を示している。また、画像Ｇ２〜Ｇ４は、医療行為に関連する画像（医療用撮像画像に関連する医療用関連画像の一例）の例をそれぞれ示している。また、画像Ｇ５は、マイクロホンで集音された音声の認識結果を示す文字列が表示される画像の一例を示している。つまり、図７は、第１の表示部１０２の表示方向側の空間が撮像された医療用撮像画像に関連する医療用関連画像と、マイクロホンで集音された音声の認識結果を示す文字列を示す医療用画像とが、第２の表示部１０４の表示画面に、当該医療用撮像画像と共に表示されている他の例を示している。
【０１４２】
例えば図７に示すように、医療行為を受ける患者の顔を含む医療用撮像画像（図７に示す画像Ｇ１）と、当該患者のバイタルを示す画像（図７に示す画像Ｇ４）とが、第２の表示部１０４の表示画面に表示されることによって、第２の表示部１０４の表示画面を見れば、当該患者の状況および当該患者のバイタルを確認することができる。よって、医療用画像表示装置１００における図７に示すような表示は、例えば、麻酔科医（医療従事者の一例）に向けた表示に適している。
【０１４３】
［３−４］第４の表示例：第２の表示部１０４の表示画面の第３の表示例
図８は、本実施形態に係る医療用画像表示装置１００における第４の表示例を示す説明図である。図８は、第２の表示部１０４の表示画面に表示される画像の第３の例を示している。
【０１４４】
図８に示す第２の表示部１０４の表示画面には、例えば、符号Ｇ１〜Ｇ５で示される画像が表示される。画像Ｇ２は、第１の表示部１０２の表示方向側の空間が撮像された医療用撮像画像の一例を示している。また、画像Ｇ１、Ｇ３〜Ｇ５は、医療行為に関連する画像（医療用撮像画像に関連する医療用関連画像の一例）の例をそれぞれ示している。画像Ｇ１、Ｇ３、Ｇ４は、医療行為を受ける患者に関する画像の一例を示しており、画像Ｇ５は、手術の流れおよび手術における手技の進行状態を示す画像（医療行為の流れを示す画像の一例）を示している。つまり、図８は、第１の表示部１０２の表示方向側の空間が撮像された医療用撮像画像に関連する医療用関連画像が、第２の表示部１０４の表示画面に、当該医療用撮像画像と共に表示されている他の例を示している。
【０１４５】
図８の画像Ｇ５に示す手術の流れおよび手術における手技の進行状態を示す画像における、手技の進行状態は、例えば、第２の表示部１０４の表示画面に対して指などの操作体でタッチ操作（第２の表示部１０４がタッチパネルである場合）や、リモートコントローラなどの外部の操作デバイスに対する操作などの、ユーザ操作に基づいて、更新される。
【０１４６】
［３−５］第５の表示例：第２の表示部１０４の表示画面と第１の表示部１０２の表示画面との連携に係る第１の表示例
図９Ａ、図９Ｂは、本実施形態に係る医療用画像表示装置１００における第５の表示例を示す説明図である。図９Ａは、第２の表示部１０４の表示画面に表示される画像の表示の一例を示している。また、図９Ｂは、図９Ａに示す第２の表示部１０４の表示画面における表示の変更に伴い、第１の表示部１０２の表示画面に表示される画像の表示の一例を示している。
【０１４７】
図９Ａに示す第２の表示部１０４の表示画面には、例えば、符号Ｇ１〜Ｇ５で示される画像が表示される。画像Ｇ２は、第１の表示部１０２の表示方向側の空間が撮像された医療用撮像画像の一例を示している。また、画像Ｇ１、Ｇ３、Ｇ４は、医療行為に関連する画像（医療用撮像画像に関連する医療用関連画像の一例）の例をそれぞれ示している。また、画像Ｇ５は、医療行為に対するアノテーション画像（ユーザインタフェース画像の一例）の一例を示している。つまり、図９Ａは、第１の表示部１０２の表示方向側の空間が撮像された医療用撮像画像に関連する医療用関連画像と、ユーザインタフェース画像とが、第２の表示部１０４の表示画面に、当該医療用撮像画像と共に表示されている例を示している。
【０１４８】
医療用画像表示装置１００を用いる者は、例えば図９Ａの画像Ｇ５に対してユーザ操作を行うことによって、第２の表示部１０４の表示画面に表示されている画像に対して、アノテーションオブジェクトを付加することが可能である。本実施形態に係るアノテーションオブジェクトとしては、例えば、文字列を含むオブジェクトとアイコンとの一方または双方が、挙げられる。図９Ａでは、例えば図９Ａの画像Ｇ１に対して、文字列を含むオブジェクト（図９Ａに示すＡＯ１）およびアイコン（図９Ａに示すＡＯ２、ＡＯ３）が、アノテーションオブジェクトとして付加されている例を示している。
【０１４９】
例えば図９Ａに示すように第２の表示部１０４の表示画面に表示されている画像にアノテーションオブジェクトＡＯ１〜ＡＯ３が付加されると、医療用画像表示装置１００では、図９Ｂに示すように、第１の表示部１０２の表示画面に表示されている画像に対して、アノテーションオブジェクトＡＯ１〜ＡＯ３が付加される。つまり、医療用画像表示装置１００では、図９Ａの画像Ｇ５に示すようなアノテーション画像（ユーザインタフェース画像の一例）に対する操作に対応して、第２の表示部１０４の表示内容が、第１の表示部１０２の表示画面に反映される。
【０１５０】
図９Ａ、図９Ｂに示すように、第２の表示部１０４の表示内容が第１の表示部１０２の表示画面に反映されることによって、例えば、“術者による手技が行われているときにおける、指導医などの当該術者を指導する者による指導”を、実現することができる。つまり、第２の表示部１０４の表示内容が第１の表示部１０２の表示画面に反映される機能を有する医療用画像表示装置１００は、教育目的で用いられうる。
【０１５１】
［３−６］第６の表示例：第２の表示部１０４の表示画面と第１の表示部１０２の表示画面との連携に係る第２の表示例
図１０Ａ、図１０Ｂは、本実施形態に係る医療用画像表示装置１００における第６の表示例を示す説明図である。図１０Ａは、第２の表示部１０４の表示画面に表示される画像の表示の他の例を示している。また、図１０Ｂは、図１０Ａに示す第２の表示部１０４の表示画面における表示の変更に伴い、第１の表示部１０２の表示画面に表示される画像の表示の他の例を示している。
【０１５２】
図１０Ａに示す第２の表示部１０４の表示画面には、例えば、符号Ｇ１〜Ｇ５で示される画像が表示される。画像Ｇ２は、第１の表示部１０２の表示方向側の空間が撮像された医療用撮像画像の一例を示している。また、画像Ｇ１、Ｇ３、Ｇ４は、医療行為に関連する画像（医療用撮像画像に関連する医療用関連画像の一例）の例をそれぞれ示している。また、画像Ｇ５は、医療行為に対するアノテーション画像（ユーザインタフェース画像の一例）の一例を示している。つまり、図１０Ａは、第１の表示部１０２の表示方向側の空間が撮像された医療用撮像画像に関連する医療用関連画像と、ユーザインタフェース画像とが、第２の表示部１０４の表示画面に、当該医療用撮像画像と共に表示されている例を示している。
【０１５３】
医療用画像表示装置１００を用いる者は、例えば図９Ａに示す画像が第２の表示部１０４の表示画面に表示される場合と同様に、図１０Ａの画像Ｇ５に対してユーザ操作を行うことによって、第２の表示部１０４の表示画面に表示されている画像に対して、アノテーションオブジェクトを付加することが可能である。図１０Ａでは、例えば図１０Ａの画像Ｇ１に対して、文字列を含むオブジェクト（図１０Ａに示すＡＯ１）およびアイコン（図１０Ａに示すＡＯ２）が、アノテーションオブジェクトとして付加されている例を示している。
【０１５４】
例えば図１０Ａに示すように第２の表示部１０４の表示画面に表示されている画像にアノテーションオブジェクトＡＯ１、ＡＯ２が付加されると、医療用画像表示装置１００では、図１０Ｂに示すように、第１の表示部１０２の表示画面に表示されている画像に対して、アノテーションオブジェクトＡＯ１、ＡＯ２が付加される。つまり、医療用画像表示装置１００では、図１０Ａの画像Ｇ５に示すようなアノテーション画像（ユーザインタフェース画像の一例）に対する操作に対応して、第２の表示部１０４の表示内容が、第１の表示部１０２の表示画面に反映される。
【０１５５】
図１０Ａ、図１０Ｂに示すように、第２の表示部１０４の表示内容が第１の表示部１０２の表示画面に反映されることによって、例えば、“術者による手技が行われているときにおいて、手術における外回りの看護師などが、当該術者による手技を中断させることなく当該術者に対して連絡を行うこと”を、実現することができる。つまり、第２の表示部１０４の表示内容が第１の表示部１０２の表示画面に反映される機能を有する医療用画像表示装置１００が、手術室（医療現場の一例）で用いられる場合には、例えば、手術を止めることなく、看護師と術者との間の連携の向上を図ることができる。
【０１５６】
［３−７］他の表示例
本実施形態に係る医療用画像表示装置１００における表示例としては、例えば上記［３−１］に示す第１の表示例〜上記［３−６］に示す第６の表示例が、挙げられる。なお、本実施形態に係る医療用画像表示装置１００における表示例は、上記［３−１］に示す第１の表示例〜上記［３−６］に示す第６の表示例に限られない。
【０１５７】
例えば、上述したように、医療用画像表示装置１００では、第２の表示部１０４の表示画面全体に、第１の表示部１０２の表示方向側の空間が撮像された医療用撮像画像が表示されてもよい。また、第２の表示部１０４の表示画面全体に、第１の表示部１０２の表示方向側の空間が撮像された医療用撮像画像が表示されている場合、医療用画像表示装置１００では、例えば第２の表示部１０４の表示画面に対して指などの操作体でタッチ操作などのユーザ操作によって、第２の表示部１０４の表示画面の表示は、上記［３−２］に示す第２の表示例などの他の表示に変更されうる。
【０１５８】
［４］本実施形態に係る医療用画像表示装置が用いられることにより奏される効果の一例
本実施形態に係る医療用画像表示装置が用いられることによって、例えば下記に示す効果が奏される。なお、本実施形態に係る医療用画像表示装置が用いられることにより奏される効果が、下記に示す例に限られないことは、言うまでもない。
・本実施形態に係る医療用画像表示装置が大型化し、第２の表示部の表示画面を見る者の視界が、本実施形態に係る医療用画像表示装置により物理的に遮られる場合であっても、第２の表示部の表示画面を見る者は、第２の表示部の表示画面に表示される医療用撮像画像によって、あたかも本実施形態に係る医療用画像表示装置の向こう側が透けて見えるように、第１の表示部の表示方向側の空間を把握することができる。よって、本実施形態に係る医療用画像表示装置が手術室（医療現場の一例）で用いられる場合、本実施形態に係る医療用画像表示装置が大型化したとしても、第２の表示部の表示画面を見る者の視界は、医療用画像表示装置が用いられないオープン術式と同等の視界となる。
・例えば図６に示すように、第１の表示部の表示方向側の空間が撮像された医療用撮像画像に関連する医療用関連画像が、第２の表示部の表示画面に、当該医療用撮像画像と共に表示されることによって、手術における外回りの看護師などは、手術の進行を確認しながら次の手技の準備に対応することができる。
・例えば図６に示すように、内視鏡画像（図６の画像Ｇ１）と、音声の認識結果を示す文字列を示す医療用画像（図６の画像Ｇ５）とが第２の表示部の表示画面に表示され、第２の表示部の表示画面の表示内容を示す画像が、外部の記録媒体に対して出力されることによって、術者などの医療従事者の教育に用いることが可能な教育用の動画が、当該記録媒体に記憶される。ここで、外部の記録媒体に記憶される教育用の動画は、特に編集が行われなくても、そのまま教育のための教材として用いることが可能である。
・第２の表示部がタッチパネルであり、かつ、図６などに示すように第２の表示部に複数の画像が表示することが可能な場合（第２の表示部が、いわゆるマルチウィンドウに対応する場合）、医療用画像表示装置１００を用いる者は、指などで第２の表示部をタッチ操作することによって、第２の表示部の表示画面のレイアウトや、第２の表示部の表示画面に表示させる画像を、任意に変更することができる。
・例えば図８に示すように、手術の流れおよび手術における手技の進行状態を示す画像（図８に示す画像Ｇ５。医療用関連画像の一例）および術野を示す画像（図８に示す画像Ｇ１。医療用関連画像の一例）と、第１の表示部の表示方向側の空間が撮像された医療用撮像画像とが、第２の表示部の表示画面に共に表示されることによって、手術における外回りの看護師などは、術画像（第１の表示部の表示方向側の空間が撮像された医療用撮像画像が該当）および術野を示す画像を同時に確認しながら、次のステップの事前準備を行うことができる。つまり、第２の表示部の表示画面に、例えば図８に示すような画像が表示されることによって、手技進行表による術管理が、実現される。
・例えば、図９Ａおよび図９Ｂや、図１０Ａおよび図１０Ｂに示すように、第２の表示部１０４の表示画面と第１の表示部１０２の表示画面との連携表示がなされることによって、例えば、術者と手術チーム全体との間におけるコミュニケーション向上を図ることができる。
【０１５９】
（本実施形態に係るプログラム）
コンピュータシステムを、本実施形態に係る医療用画像表示装置（または、本実施形態に係る医療用画像表示装置を制御することが可能な表示制御装置）として機能させるためのプログラム（例えば、本実施形態に係る表示制御方法に係る処理を実行することが可能なプログラム）が、コンピュータシステムにおいてプロセッサなどにより実行されることによって、利便性の向上を図ることができる。ここで、本実施形態に係るコンピュータシステムとしては、単体のコンピュータ、または、複数のコンピュータが挙げられる。本実施形態に係るコンピュータシステムによって、本実施形態に係る表示制御方法に係る一連の処理が行われる。
【０１６０】
また、コンピュータシステムを、本実施形態に係る医療用画像表示装置（または、本実施形態に係る医療用画像表示装置を制御することが可能な表示制御装置）として機能させるためのプログラムが、コンピュータシステムにおいてプロセッサなどにより実行されることによって、上述した本実施形態に係る表示制御方法に係る処理によって実現される表示によって奏される効果を、奏することができる。
【０１６１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到しうることは明らかであり、これらについても、当然に本開示の技術的範囲に属するものと了解される。
【０１６２】
例えば、上記では、コンピュータシステムを、本実施形態に係る医療用画像表示装置（または、本実施形態に係る医療用画像表示装置を制御することが可能な表示制御装置）として機能させるためのプログラム（コンピュータプログラム）が提供されることを示したが、本実施形態は、さらに、上記プログラムを記憶させた記録媒体も、併せて提供することができる。
【０１６３】
上述した構成は、本実施形態の一例を示すものであり、当然に、本開示の技術的範囲に属するものである。
【０１６４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１６５】
なお、以下のような構成も本開示の技術的範囲に属する。
（１）
第１の表示部と、
前記第１の表示部と表示方向が異なる第２の表示部と、
を備え、
前記第２の表示部の表示画面の少なくとも一部には、前記第１の表示部の表示方向側の空間が撮像された医療用撮像画像が表示される、医療用画像表示装置。
（２）
前記第２の表示部の表示画面には、前記医療用撮像画像に関連する医療用関連画像と、マイクロホンで集音された音声の認識結果を示す文字列を示す医療用画像と、ユーザインタフェース画像とのうちの１または２以上が、前記医療用撮像画像と共に表示される、（１）に記載の医療用画像表示装置。
（３）
前記医療用撮像画像は、医療行為が行われる場所における前記空間が撮像された画像であり、
前記医療用関連画像は、前記医療行為に関連する画像である、（２）に記載の医療用画像表示装置。
（４）
前記医療行為に関連する画像には、前記医療行為を受ける患者に関する画像と、前記医療行為の流れを示す画像との一方または双方が含まれる、（３）に記載の医療用画像表示装置。
（５）
前記ユーザインタフェース画像には、医療行為に対するアノテーション画像が含まれる、（２）〜（４）のいずれか１つに記載の医療用画像表示装置。
（６）
前記ユーザインタフェース画像に対する操作が行われた場合、前記ユーザインタフェース画像に対する操作に対応して前記第２の表示部の表示が変化する、（２）〜（５）のいずれか１つに記載の医療用画像表示装置。
（７）
さらに、前記ユーザインタフェース画像に対する操作に対応して、前記第２の表示部の表示内容が、前記第１の表示部の表示画面に反映される、（６）に記載の医療用画像表示装置。
（８）
前記マイクロホンを備え、
前記文字列は、前記医療用画像表示装置が備える前記マイクロホンにより集音された音声の認識結果を示す文字列である、（２）〜（７）のいずれか１つに記載の医療用画像表示装置。
（９）
前記第２の表示部の表示画面に表示される画像のレイアウト、前記第２の表示部の表示画面に表示される画像の数、および前記第２の表示部の表示画面に表示される画像の内容それぞれは、ユーザ操作に基づいて変更される、（２）〜（８）のいずれか１つに記載の医療用画像表示装置。
（１０）
前記第１の表示部の表示方向側の空間を撮像する撮像デバイスを備え、
前記医療用撮像画像は、前記医療用画像表示装置が備える前記撮像デバイスにより撮像された画像である、（１）〜（９）のいずれか１つに記載の医療用画像表示装置。
（１１）
前記第１の表示部および前記第２の表示部それぞれの表示画面への表示を制御する制御部をさらに備える、（１）〜（１０）のいずれか１つに記載の医療用画像表示装置。
（１２）
前記第２の表示部の表示画面に表示されている表示内容を示す画像を出力する出力端子を備える、（１）〜（１１）のいずれか１つに記載の医療用画像表示装置。
（１３）
第１の表示部の表示画面のサイズと前記第２の表示部の表示画面のサイズとは、同一である、（１）〜（１２）のいずれか１つに記載の医療用画像表示装置。
（１４）
第１の表示部の表示画面のサイズと前記第２の表示部の表示画面のサイズとは、異なる、（１）〜（１２）のいずれか１つに記載の医療用画像表示装置。
（１５）
前記第２の表示部の表示画面のサイズは、第１の表示部の表示画面のサイズよりも小さい、（１４）に記載の医療用画像表示装置。
（１６）
第１の表示部の表示画面の解像度と前記第２の表示部の表示画面の解像度とは、同一である、（１）〜（１５）のいずれか１つに記載の医療用画像表示装置。
（１７）
第１の表示部の表示画面の解像度と前記第２の表示部の表示画面の解像度とは、異なる、（１）〜（１５）のいずれか１つに記載の医療用画像表示装置。
（１８）
前記第２の表示部の表示画面の解像度は、第１の表示部の表示画面の解像度よりも小さい、（１７）に記載の医療用画像表示装置。
（１９）
前記第２の表示部は、タッチパネルである、（１）〜（１８）のいずれか１つに記載の医療用画像表示装置。
（２０）
第１の表示部と、前記第１の表示部と表示方向が異なる第２の表示部と、を備える医療用画像表示装置における表示方法であって、
前記第２の表示部の表示画面の少なくとも一部に、前記第１の表示部の表示方向側の空間が撮像された医療用撮像画像が表示されるように、表示を制御する、プロセッサにより実行される表示制御方法。
【符号の説明】
【０１６６】
１００    医療用画像表示装置
１０２    第１の表示部
１０４    第２の表示部
１０６    制御部
１０８    通信部
２００    接続アーム
【図１】
2018143559.tif 000003
【図２】
2018143559.tif 000004
【図３】
2018143559.tif 000005
【図４】
2018143559.tif 000006
【図５】
2018143559.tif 000007
【図６】
2018143559.tif 000008
【図７】
2018143559.tif 000009
【図８】
2018143559.tif 000010
【図９Ａ】
2018143559.tif 000011
【図９Ｂ】
2018143559.tif 000012
【図１０Ａ】
2018143559.tif 000013
【図１０Ｂ】
2018143559.tif 000014